(57)【要約】【目的】濾水の流下が容易に行われて濾過脱水機能に優れ、また、濾過脱水作業終了後における各プレート間の洗浄にも好便で且っ摩耗したプレートの交換作業も容易で、メンテナンス性も良好なスクリュー式濾過脱水装置における環状濾過プレートの支持構造を提供する。【構成】多数枚の環状濾過プレート２と環状可動プレート３を細隙を隔てて積層した筒状の濾過体１の中心孔１０にスクリューコンベア１１を嵌装し、濾過体１の外周に沿うように各環状可動プレート３と非接触状態を保って架設された複数本の支持棒７を有し、各環状可動プレート３の外周縁の複数箇所に配設された嵌部５をそれぞれ各支持棒７に嵌め合せることにより濾過体１の筒状形成状態が維持されるよう構成した。【選択図】　　　　図３
2004033866.tif 000002
【特許請求の範囲】
【請求項１】
多数枚の環状濾過プレートを所要の間隔を保持して積層状に配列させ、該環状濾過プレートの各積層間にそれぞれ環状可動プレートを遊嵌して形成された各細隙を濾水流出溝とする筒状の濾過体に形成し、該濾過体の始端開口部を汚泥原水の送り込み口とし終端開口部を脱水ケーキの送り出し口として中心孔にスクリューコンベアを嵌装し、濾過体の外周に沿うように各環状可動プレートと非接触状態を保って架設された複数本の支持棒を有し、各支持棒の前後両端部は固定体に支承されており、各環状可動プレートの外周縁の複数箇所に上記各支持棒と嵌り合うよう形成された嵌部を配設し、該嵌部をそれぞれ各支持棒に嵌め合せることにより前記濾過体の形成状態が維持されるよう構成したことを特徴とする、スクリュー式濾過脱水装置における環状濾過プレートの支持構造。
【発明の詳細な説明】
【０００１】
【発明の技術分野】
本発明は例えば、オキシデーションディッチ法等に代表される比較的小規模の下水処理作業において発生する懸濁微粒子を含む懸濁液を、濾液と懸濁微粒子とに分離するためのスクリュー式濾過脱水装置における環状濾過プレートの支持構造に関するものである。
【０００２】
【従来技術とその問題点】
図４に示すよう、周壁要所に透孔Ｈ・・Ｈを穿設した筒状外枠１０７内において、多数枚の環状濾過プレート１０２と環状可動プレート１０３とが交互に配列される状態に収容させ、始端開口部を汚泥原水の送り込み口とし終端開口部を脱水ケーキの送り出し口とする濾過体１０１の中心孔１１０にスクリューコンベア１１１を嵌装し、各プレート１０２，１０３間に形成される細隙を濾水流出溝としたスクリュー式濾過脱水装置は公知である。
【０００３】
そしてスクリューコンベア１１１の駆動により濾過体１０１内で分離された濾水は各プレート１０２，１０３間の濾水流出溝より流下し脱水ケーキは送り出し口から排出されることになる。しかし上記従来のスクリュー式濾過脱水装置における環状濾過プレートの支持構造では、筒状外枠１０７の周壁が濾水の流下を阻害して濾過脱水機能を低下させることになる。また、濾過脱水作業終了後における各プレート１０２，１０３間の洗浄も困難であり、且っ摩耗したプレートの交換作業時にもその都度筒状外枠１０７を取り外さなければならず、メンテナンスの面でも問題がある。
【０００４】
【発明の目的】
本発明の目的は、濾水の流下が容易に行われて濾過脱水機能に優れ、また、濾過脱水作業終了後における各プレート間の洗浄にも好便で且っ摩耗したプレートの交換作業も容易で、メンテナンス性も良好なスクリュー式濾過脱水装置における環状濾過プレートの支持構造を提供することにある。
【０００５】
【発明の構成】
本発明に係るスクリュー式濾過脱水装置における環状濾過プレートの支持構造では、多数枚の環状濾過プレートを所要の間隔を保持して積層状に配列させ、該環状濾過プレートの各積層間にそれぞれ環状可動プレートを遊嵌して形成された各細隙を濾水流出溝とする筒状の濾過体に形成し、該濾過体の始端開口部を汚泥原水の送り込み口とし終端開口部を脱水ケーキの送り出し口として中心孔にスクリューコンベアを嵌装し、濾過体の外周に沿うように各環状可動プレートと非接触状態を保って架設された複数本の支持棒を有し、各支持棒の前後両端部は固定体に支承されており、各環状可動プレートの外周縁の複数箇所に上記各支持棒と嵌り合うよう形成された嵌部を配設し、該嵌部をそれぞれ各支持棒に嵌め合せることにより前記濾過体の形成状態が維持されるよう構成した。
【０００６】
【実施例】
以下実施例の図１ないし図３により説明をする。
【０００７】
１は筒状の濾過体であり、多数枚の環状濾過プレート２・・２を所要の間隔を保持して積層状に配列させ、該環状濾過プレート２・・２の各積層間にそれぞれ環状可動プレート３・・３を遊嵌させて形成された各細隙を濾水流出溝４・・４とする。そして各環状濾過プレート２・・２の外周縁の複数箇所に各環状可動プレート３・・３の外径よりも大径で後記支持棒７・・７と嵌り合うよう穿孔または切込まれた嵌部５・・５を配設し、濾過体１の始端開口部を汚泥原水の送り込み口８とし終端開口部を脱水ケーキの送り出し口９として中心孔１０にスクリューコンベア１１を嵌装する。６・・６は間隔保持具であり、各環状濾過プレート２・・２の板面要所において各環状可動プレート３・・３の肉厚よりも僅かに厚く且っ各環状可動プレート３・・３と非接触状態に保たれる位置に配設される。７・・７は濾過体１の外周に沿うように各環状可動プレート３・・３と非接触状態を保って架設された複数本の支持棒であり、その前後両端部は固定体１４に支承されている。そして各環状濾過プレート２・・２の前記嵌部５・・５を各支持棒７・・７に嵌め合せることにより、濾過体１の筒状形成状態が維持されることになる。１２はスクリューコンベア１１を駆動するための原動機、１３は送り出し口９に付設された吐出圧調整弁である。
【０００８】
一例として実施例の図面のように、スクリューコンベア１１はスクリューブレード１１Ｂの外径が環状濾過プレート２の内径よりも小径で、環状可動プレート３の内径よりも大きく形成されており、原動機１２により駆動されて懸濁微粒子を移送させると共にスクリューブレード１１Ｂの外縁が環状可動プレート３・・３の内周部へ斜交状に摺接して該環状可動プレート３・・３を偏心回転させることにより、濾水流出溝４・・４の目詰まりを防止する。また、濾過体１の外周が従来のような筒状外枠で囲われていないため、環状可動プレート３・・３を偏心回転させるための別の実施態様として、各環状濾過プレート２・・２の外周の一部に環状可動プレート３・・３の外径よりも小径に形成された部位（図示せず）を有し、且っスクリューブレード１１Ｂの外径が環状濾過プレート２・・２および環状可動プレート３・・３の内径よりも若干小径に形成されており、スクリューコンベア１１の駆動と連動して濾過体１の外側に配設された偏心回転軸（図示せず）が偏心回転運動をし、環状可動プレート３・・３の外周と摺接して該環状可動プレート３・・３を偏心回転させるということも可能である。
【０００９】
【作用】
原動機１２を駆動させるとスクリューコンベア１１が回転し、環状可動プレート３・・３は環状濾過プレート２・・２間の間隙に沿って偏心回転運動を行い、送り込み口８から濾過体１内へ送り込まれた汚泥原水はスクリューブレード１１Ｂに沿って旋回しながら軸方向へ前進する過程において、濾過された濾水は濾水流出溝４・・４より流下すると共に脱水されて含水比の低くなった脱水ケーキは前方の送り出し口９から順次排出される。
【００１０】
【発明の効果】
本発明に係るスクリュー式濾過脱水装置における環状濾過プレートの支持構造によれば、濾水の流下が容易に行われて濾過脱水機能に優れ、また、濾過脱水作業終了後における各プレート間の洗浄にも好便で且っ摩耗したプレートの交換作業も容易でメンテナンス性も良好であるという利点がある。
【図面の簡単な説明】
【図１】本発明構造を採り入れたスクリュー式濾過脱水装置の構成を略示した縦断側面図である。
【図２】本発明装置における濾過体の要部縦断側面図である。
【図３】本発明装置における濾過体の縦断正面図である。
【図４】従来における濾過体の縦断正面図である。
【符号の説明】
１　　　筒状の濾過体
２　　　環状濾過プレート
３　　　環状可動プレート
４　　　濾水流出溝
５　　　嵌部
７　　　支持棒
８　　　汚泥原水の送り込み口
９　　　脱水ケーキの送り出し口
１０　　　濾過体の中心孔
１１　　　スクリューコンベア
１１Ｂ　　スクリューブレード
１４　　　固定体
【図１】
2004033866.tif 000003
【図２】
2004033866.tif 000004
【図３】
2004033866.tif 000005
【図４】
2004033866.tif 000006